(57)【要約】      （修正有）【課題】  物品の不正持ち出しを防止することが可能な物品管理システムを提供する。【解決手段】  この物品管理システム３００は、物品３５、３８に付されて各物品に係る管理情報を記録するＲＦＩＤタグ２００と、ＲＦＩＤタグ２００に記録されている管理情報を読み書きするための電波を授受するアンテナを有する管理マット３７と、このアンテナによりＲＦＩＤタグ２００に対して管理情報の読み書きを行うリーダライタ１００と、このリーダライタ１００を制御するＰＣ５０と、ＰＣ５０が警告処置を行った場合に警告音を発するブザー３３と、ＬＡＮ３０に接続され物品３５、３８を収容する部屋の出入り口に供えられたドア４３の施開錠手段４１を制御するドア制御装置４２と、ＬＡＮ３０を介して接続されＰＣ５０を管理する管理者ＰＣ４４とを備えて構成される。【選択図】  図３
2005332185.tif 000002
【特許請求の範囲】
【請求項１】
物品に付されて該物品に係る管理情報を記録するＲＦＩＤタグと、該ＲＦＩＤタグに対して前記管理情報の読み書きを行うリーダライタと、該リーダライタを制御する制御手段と、前記ＲＦＩＤタグに記録されている管理情報を読み書きするための電波を授受するアンテナ部と、を備え、
前記制御手段は、事前に登録した物品の登録管理情報を記録する記憶手段を備え、前記リーダライタを制御して前記アンテナ部を介して前記ＲＦＩＤタグに記録されている管理情報を読み取り、該管理情報と前記記憶手段に記録されている登録管理情報とを比較し、該比較の結果、前記管理情報と登録管理情報とが一致しなかった場合、警告処置を行うことを特徴とする物品管理システム。
【請求項２】
前記制御手段は、前記管理情報と登録管理情報とが異なることを確認し、当該異なる状態が所定の時間継続した場合、前記警告処置を行うことを特徴とする請求項１に記載の物品管理システム。
【請求項３】
前記警告処置は、警告音の鳴動、または事前に登録した物品を物品保管場所から外部に持ち出すことを禁止するために物品の持ち出し経路に設けた施開錠手段を施錠する処置であることを特徴とする請求項１又は２に記載の物品管理システム。
【請求項４】
前記制御手段は、前記アンテナ部により前記物品に付されたＲＦＩＤタグに記録されている管理情報が授受不可能となった場合、当該物品は不正に持ち出されたものであると判断することを特徴とする請求項１又は２に記載の物品管理システム。
【請求項５】
前記アンテナ部は少なくとも当該アンテナ部から所定の距離に存在するＲＦＩＤタグに記録されている管理情報を授受可能とするように構成されていることを特徴とする請求項１又は４に記載の物品管理システム。
【請求項６】
前記制御手段は、前記リーダライタの動作中は常時ＲＦＩＤタグに記録されている管理情報と前記登録管理情報とを比較することを特徴とする請求項１乃至５の何れか一項に記載の物品管理システム。
【請求項７】
前記制御手段を管理する管理情報処理装置を更に備え、前記制御手段が前記管理情報と登録管理情報との異なる状態が所定の時間継続したことを確認した場合、前記制御手段は前記管理情報処理装置に登録管理情報と異なる物品名の情報を送信することを特徴とする請求項１乃至６の何れか一項に記載の物品管理システム。
【請求項８】
前記管理情報処理装置は、前記制御手段の記憶手段に記録する登録管理情報を生成可能としたことを特徴とする請求項７に記載の物品管理システム。
【請求項９】
前記制御手段は、前記警告処置を実行した後、前記管理情報と前記記憶手段に記録されている登録管理情報とを比較した結果、前記管理情報と登録管理情報とが一致した場合、または前記アンテナ部により前記物品に付されたＲＦＩＤタグに記録されている管理情報が授受可能となった場合、前記警告処置を解除することを特徴とする請求項１又は４に記載の物品管理システム。
【発明の詳細な説明】
【技術分野】
【０００１】
本発明は、物品管理システムに関し、さらに詳しくは、物品の管理情報と管理対象物品の登録管理情報とを比較することにより、物品が所定の領域から移動されたことを検知する物品管理システムに関するものである。
【背景技術】
【０００２】
従来から店舗、展示会の会場等において商品や展示物を監視するために専任の警備員を巡回させたり、商品や展示物が持ち出されないようにするために、これらの物品を鎖や紐で固定する対策が採られていた。また、そのような防犯処置が不可能な物品（例えば書類、宝石、骨董品等）は施錠されたケース等に収納せざるを得なかった。しかし、これらの物品を購入あるいは見学に来た客には、それらの物品を手にとって観察したいという要望がある。その場合に商品や展示物に鎖や紐がついていると本来の購買意欲を減少させたり、ケースに収納されている場合、その都度係員を呼んでケースから出してもらって見なければならず、煩わしいといった声がある。
また、警備員を配する代わりに主として高価な商品に無線発信機を取り付け、未精算商品を店外に持ち出そうとする者がいる場合にこの無線発信機から発信される信号を受信して通報するシステムを備えたゲートを出口に設けて、店員等に通報する方法が開発されている。この場合、無線発信機は高価なため、適法に商品が精算される場合にはレジスタ担当者が無線発信機を商品から取り外し、廃棄せずに再使用している。しかし、この場合、万引き犯が店内で無線発信機を商品から外して破棄することが可能であり、無線発信機を外された商品は、無線発信機を検知するシステムを備えたゲートを通過しても検出することができないといった問題があった。
【発明の開示】
【発明が解決しようとする課題】
【０００３】
本発明は、かかる課題に鑑み、各物品にＲＦＩＤタグを取り付け、その物品は所定の領域内であれば自由に移動が可能とし、所定の領域を越えて物品を移動しようとすると警告音を発したり部屋の出口を施錠するようにして、物品の不正持ち出しを簡易な構成により防止することが可能な物品管理システムを提供することを目的とする。
【課題を解決するための手段】
【０００４】
本発明はかかる課題を解決するために、請求項１は、物品に付されて該物品に係る管理情報を記録するＲＦＩＤタグと、該ＲＦＩＤタグに対して前記管理情報の読み書きを行うリーダライタと、該リーダライタを制御する制御手段と、前記ＲＦＩＤタグに記録されている管理情報を読み書きするための電波を授受するアンテナ部と、を備え、前記制御手段は、管理対象として事前に登録した物品の登録管理情報を記録する記憶手段を備え、前記リーダライタを制御して前記アンテナ部を介して前記ＲＦＩＤタグに記録されている管理情報を読み取り、該管理情報と前記記憶手段に記録されている登録管理情報とを比較し、該比較の結果、前記管理情報と登録管理情報とが一致しなかった場合、警告処置を行うことを特徴とする。
本発明の最も大きな特徴は、各物品を収納する什器を特に必要としない点である。従来から物品を保管するためには、その物品を施開錠手段を備えた什器に保管して、物品を取り出すために施開錠手段を開錠して物品を取り出していた。この場合は什器を必ず必要とし、そのための施開錠手段の制御も煩雑であった。しかし、展示会等で展示品を来場者に自由に見てもらいたい場合は、什器に収納していてはそれも実現不可能となる。さりとて、什器から出して展示したのでは、物品の不正持ち出しを監視するのが困難となる。そこで本発明では、この二つのことを同時に満足するために、アンテナを備えたアンテナ部上にＲＦＩＤタグを付した物品を展示する。そのアンテナ部のアンテナからはリーダライタにより物品に付されたＲＦＩＤタグの管理情報が読み取られている。そして読み取られた管理情報は予め設定した登録管理情報と比較して監視され、不一致を検知することにより物品が持ち出されたことを認識するものである。しかし、このとき必ずしも不正に持ち出されたとは限らないので、警告処置を行うに留める。
請求項２は、前記制御手段は、前記管理情報と登録管理情報とが異なることを確認し、当該異なる状態が所定の時間継続した場合、前記警告処置を行うことを特徴とする。
アンテナ部に近接されている物品は複数の人によりアンテナ部から所定の範囲内で移動される。そのときリーダライタは各物品に付されたＲＦＩＤタグから管理情報を常に読み取り、登録管理情報と比較している。その際、瞬間的に両者の情報が不一致になる場合が度々発生することは避けられない。このとき不一致の度に警告処置をしたのでは煩雑となり、本来の不正持ち出しとの区別が付けにくくなる。そこで本発明では、タイムラグを持たせて所定の時間経過しても管理情報と登録管理情報とが不一致の場合に限り警告処置を行うものである。
【０００５】
請求項３は、前記警告処置は、警告音の鳴動、または事前に登録した物品を物品保管場所から外部に持ち出すことを禁止するために物品の持ち出し経路に設けた施開錠手段を施錠する処置であることを特徴とする。
警告処置はあくまでも警告であり、故意に持ち出そうとする意思のない人が結果的に管理マットから所定の範囲外に物品を移動してしまう場合もある。その場合は警告音により気づいて元に戻す可能性が高い。しかし、中には故意に持ち出そうとする者もいる。それを想定して出口の施開錠手段を施錠することも必要な場合もある。
請求項４は、前記制御手段は、前記アンテナ部により前記物品に付されたＲＦＩＤタグに記録されている管理情報が授受不可能となった場合、当該物品は不正に持ち出されたものであると判断することを特徴とする。
制御手段はリーダライタにより物品に付されたＲＦＩＤタグに記録された管理情報を常に読み取っている。そしてアンテナ部の所定の範囲内、即ち、リーダライタからの電波が正常に届く範囲内であれば管理情報を正常に授受可能である。従って、故意にＲＦＩＤタグが破壊されたりした場合であっても、ＲＦＩＤタグとの管理情報の授受が不可能となるので、物品が不正に持ち出されたと判断することができる。
請求項５は、前記アンテナ部は少なくとも当該アンテナ部から所定の距離に存在するＲＦＩＤタグに記録されている管理情報を授受可能とするように構成されていることを特徴とする。
アンテナ部からは、所定の強度の電磁波が放射される。その強度は強いほどＲＦＩＤタグとの交信距離が長くなる。しかし、電波法の規制により限界が定められている。本発明では電波法の規制内において物品が所定の距離移動しても交信が可能なようにアンテナ部を形成している。
【０００６】
請求項６は、前記制御手段は、前記リーダライタの動作中は常時ＲＦＩＤタグに記録されている管理情報と前記登録管理情報とを比較することを特徴とする。
アンテナ部には事前に監視対象物として登録済みの物品が近接配置されている。そしてアンテナ部に近接された物品は何時移動されるか事前に判断できない。従って登録管理情報が設定され、リーダライタが動作したら常にアンテナ部上のＲＦＩＤタグに記録されている管理情報を読み取り、登録管理情報と比較する必要がある。
請求項７は、前記制御手段を管理する管理情報処理装置を更に備え、前記制御手段が前記管理情報と登録管理情報との異なる状態が所定の時間継続したことを確認した場合、前記制御手段は前記管理情報処理装置に登録管理情報と異なる物品名の情報を送信することを特徴とする。
本発明では制御装置を管理する管理情報処理装置を備え、制御装置が警告処置を発生した場合、その警告の対象となる物品名の情報を管理情報処理装置に送信してその後の指示を仰ぐ。例えば、管理情報処理装置がその情報を受信すると、アンテナ部が設定されている場所に管理者がおもむいて事後処置を行う。
請求項８は、前記管理情報処理装置は、前記制御手段の記憶手段に記録する登録管理情報を生成可能としたことを特徴とする。
本発明では制御手段により全てを制御することが可能である。しかし、アンテナ部に近接した物品が変更される場合もある。そのような場合、制御装置が一つであれば左程時間を要しないが、多数の制御装置があった場合はその都度登録のやり直しを行う必要があり煩雑である。そこで、制御装置を管理する管理情報処理装置を備え、各制御装置とネットワークを介して接続することにより、一括して登録管理情報を生成することができる。
請求項９は、前記制御手段は、前記警告処置を実行した後、前記管理情報と前記記憶手段に記録されている登録管理情報とを比較した結果、前記管理情報と登録管理情報とが一致した場合、または前記アンテナ部に備えられたアンテナにより前記物品に付されたＲＦＩＤタグに記録されている管理情報が授受可能となった場合、前記警告処置を解除することを特徴とする。
一時的に管理情報と登録管理情報とが不一致となったり、管理情報が授受不可能となったりする場合があるが、その状態が元に戻れば登録された物品はアンテナ部に近接されたと見なすことができる。従って、その場合は警告処置を解除しても構わない。
【発明の効果】
【０００７】
請求項１の発明によれば、制御手段は、管理対象として事前に登録した物品の登録管理情報を記録する記憶手段を備えておく。そして、リーダライタによりＲＦＩＤタグに記録されている管理情報を読み取り、この管理情報と登録管理情報とを比較し、管理情報と登録管理情報とが一致しなかった場合に警告処置を行うことにより、登録された物品のいずれかが不正に持ち出されたことを検知することができる。
また請求項２では、制御手段が管理情報と登録管理情報とが異なることを確認し、この状態が所定の時間継続したことを確認することにより警告処置を行うので、正確に物品の持ち出しを検知することができる。
また請求項３では、警告処置として警告音を鳴動したり、事前に登録した物品を外部に持ち出すことを禁止するために出口に設けた施開錠手段を施錠するようにしたので、故意に物品を持ち出そうとした場合と、そうでない場合を識別することができる。
また請求項４では、制御手段は、ＲＦＩＤタグに記録されている管理情報が授受不可能となった場合、物品が不正に持ち出されたと判断することができるので、ＲＦＩＤタグが破壊されたことも検知することができる。
また請求項５では、アンテナ部は少なくともＲＦＩＤタグに記録されている管理情報だけでも授受可能なように形成したので、簡単な構成でシステムを構築することができる。
また請求項６では、制御手段は、リーダライタの動作中は常時ＲＦＩＤタグに記録されている管理情報と登録管理情報とを比較するように制御するので、リアルタイムに物品の移動を監視することができる。
また請求項７では、制御手段が管理情報と登録管理情報との異なる状態が所定の時間継続したことを確認した場合、登録管理情報と異なる物品名の情報を管理情報処理装置に送信するので、物品を置いてある現場にいなくても早急に次の処置を打つことができる。
また請求項８では、管理情報処理装置は、制御手段の記憶手段に記録する登録管理情報を設定することができるので、複数の制御装置を統括して管理することができる。
また請求項９では、制御手段が警告処置を実行した後、管理情報と登録管理情報とが一致したり、またはアンテナ部に備えられたアンテナにより物品に付されたＲＦＩＤタグに記録されている管理情報が授受可能となった場合、その警告処置を解除するので、解除処理をその都度実施する必要がなく、制御を簡略化することができる。
【発明を実施するための最良の形態】
【０００８】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態のＲＦＩＤタグ用リーダライタの構成を示すブロック図である。このＲＦＩＤタグ用リーダライタ１００は、リーダライタ１００との間でデータの授受を行ってシステム全体を制御するコンピュータ（上位機器）５０によって制御される。リーダライタ１００は、外部のコンピュータ５０とのデータの通信プロトコルを司る送受信装置１と、リーダライタ１００全体の動作を制御する制御装置２と、制御装置２を動作させる手順を記録したファームウェアと読み取ったデータを格納するメモリ装置３と、制御装置２からのデータを搬送波に乗せて変調する変調器４と、操作コマンドを入力する入力装置５と、制御装置２により制御された情報を表示する表示装置６と、制御装置２からの交流信号である電力供給用信号と変調器４からの書き込みコマンドを電力増幅する電力増幅器７と、ループアンテナ９から受信した搬送波から２値化データに変換する検波復調器８と、図示しないＩＣタグとの電力用搬送波とデータの授受をするループアンテナ９とを備えて構成されている。
次に、本構成によるリーダライタ１００の動作を説明する前に、ＲＦＩＤタグの構成を先に説明しておく。図２は、本発明の実施形態のＲＦＩＤタグの構成を示すブロック図である。本実施形態のＲＦＩＤタグ２００は、リーダライタ１００からの電力用搬送波によりデータの授受をするループアンテナ２０と、書き込みコマンド読み出しコマンドを生成する送受信回路２１と、ループアンテナ２０からの電力用搬送波を受け、それを整流して直流電力に変換する電力生成回路２２と、制御用ファームウェアとデータの記憶を司るメモリ装置２３と、制御回路２６からの送信コマンドに搬送波を乗せて変調する変調器２４と、送受信回路２１からの搬送波データから２値化データに変換する検波器２５と、ＲＦＩＤタグ２００の全体の動作を制御する制御回路２６から構成されている。
【０００９】
次に、図１と図２を併せて参照してそれぞれ単独の動作について説明する。リーダライタ１００は、図示しない電源が入れられると制御装置２のイニシャル動作後、メモリ装置３に記憶されたプログラムに従い動作を開始する。まず、初期化が行われる。次に、制御装置２は、ＲＦＩＤタグ２００に供給する電力供給用信号と、ポーリング信号を交互に電力増幅器７から送信する。その信号は、ループアンテナ９から電磁波として外部に放射される。次に、ＲＦＩＤタグ２００がリーダライタ１００に近接すると、ループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って、制御を開始する。
次に、制御回路２６は、まず送受信回路２１からコマンドを検波器２５で復調して２値化信号に変換し、そのコマンドを解析する。その結果自分が呼び出されていることを認識すると、レスポンスを変調器２４により変調して送受信回路２１を介してループアンテナ２０から送信する。このレスポンスをリーダライタ１００がループアンテナ９で受信して、検波復調器８で２値化コードに変換し、制御回路２により解析してＲＦＩＤタグ２００が規格に合致したタグであると認識する。それにより、以後リーダライタ１００とＲＦＩＤタグ２００の間でポーリングが行われる。
【００１０】
図３は本発明の実施形態に係る物品管理システムの概略構成図である。同じ構成要素には同じ参照番号を付して説明する。この物品管理システム３００は、物品３５、３８に付されて各物品に係る管理情報を記録するＲＦＩＤタグ２００と、物品３５、３８に付されたＲＦＩＤタグ２００に記録されている管理情報を読み書きするための電波を授受するアンテナ（図示せず）を有する管理マット（アンテナ部）３７と、この管理マット３７に備えられたアンテナによりＲＦＩＤタグ２００に対して管理情報の読み書きを行うリーダライタ１００と、このリーダライタ（Ｒ／Ｗ）１００を制御するＰＣ（制御手段）５０と、ＰＣ５０が警告処置を行った場合に警告音を発するブザー３３と、ＬＡＮ(Local Area Network)３０に接続され、少なくとも管理マット３７に載置された物品３５、３８を収容する部屋の出入り口に供えられたドア４３の施開錠手段４１を制御するドア制御装置４２と、ＬＡＮ３０を介して接続されＰＣ５０を管理する管理者ＰＣ４４とを備えて構成される。尚、この例では管理マット３７は机４０の上にセットされ、アンテナはケーブル３４によりリーダライタ１００と接続されている。また、ドア４３は部屋に入る時は自由に入ることができ、ＰＣ５０が警告処置を発してドア制御装置４２を制御して施開錠手段４１を施錠することにより、ドア４３がロックされる構成とする。
このようにＰＣ５０には、管理対象として事前に登録した物品の登録管理情報を記録するメモリを備えておく。そして、リーダライタ１００によりＲＦＩＤタグ２００に記録されている管理情報を読み取り、この管理情報と登録管理情報とを比較し、管理情報と登録管理情報とが一致しなかった場合に警告処置を行うようにすることにより、管理マット３７上から登録された物品のいずれかが不正に持ち出されたことを検知することができる。
【００１１】
次に物品管理システム３００の概略動作について説明する。管理者ＰＣ４４により予めＰＣ５０のメモリに管理対象物品（この例では物品３５、３８）の登録管理情報を記録しておく。登録管理情報としては、例えば、物品の名前と管理ＩＤ等を記録しておく。そして物品３５、３８を管理マット３７上に載置してリーダライタ１００を起動することによりシステムの準備が完了する。この状態で、リーダライタ１００は管理マット３７に備えられたアンテナを介して物品３５、３８に付されたＲＦＩＤタグ２００に記録されている管理情報を読取ることができる。管理情報としては、例えば、物品の管理ＩＤ等がある。ここで、リーダライタ１００からは所定の強度の電磁波がアンテナから放射されるようにパワーが設定され、物品３５、３８に付されたＲＦＩＤタグ２００を動作させるには充分な強度になるように設定されている。また管理マットに備えられたアンテナは、物品を管理マットの表面から所定の距離移動（上方への移動、離間及び横方向への移動、離間を含む）してもＲＦＩＤタグ２００に記録された管理情報を正確に読取れるように配置されている。そして、ＰＣ５０はメモリに記録した登録管理情報とＲＦＩＤタグ２００から読取られた管理情報を常に監視する。この状態において、利用者が例えば物品３５を管理マット３７上から持ち出し、所定の距離以上に離れるとリーダライタ１００と物品３５に付されたＲＦＩＤタグ２００との交信が不能となり、その結果、ＰＣ５０に記録されている物品３５の登録管理情報とＲＦＩＤタグ２００に記録されている管理情報とが不一致となる。そしてこの状態が所定の時間継続すると、ＰＣ５０は物品３５が管理マット３７から持ち出されたと判断して、ブザー３３を鳴らし、ドア制御装置４２を制御して施開錠手段４１を施錠するように指示する。これによりドア４３がロックされて物品３５を室外に持ち出すことを阻止することができる。ここで、利用者が警告音に気づいて物品３５を管理マット３７に戻すとリーダライタ１００は物品３５に付されたＲＦＩＤタグの管理情報を再び読取るので、それによりＰＣ５０が物品３５が戻されたことを判断してブザー３３を停止すると共に、施開錠手段４１を開錠するように指示する。
尚、本実施形態ではＰＣ５０が登録管理情報を記録して管理情報と比較して監視するようにしたが、管理者ＰＣ４４が行っても構わない。
【００１２】
図４は管理者ＰＣ５０に記録した登録管理情報とＲＦＩＤタグから読取った管理情報とを比較する動作を説明する図である。図４（ａ）は登録管理情報の一例であり、物品名６０と管理ＩＤ６１を関連付けて記録している。例えば、物品名「ＡＢＣ」の管理ＩＤが「１２３」であり、物品名「ＸＹＺ」の管理ＩＤが「６５２」であることを表している。図４（ｂ）はリーダライタ１００により読取った管理情報の一例であり、管理ＩＤを連続して読取った場合に、１回目が物品名「ＡＢＣ」の管理ＩＤが「１２３」であり、物品名「ＸＹＺ」の管理ＩＤが「６５２」であることを表している。また２回目が物品名「ＡＢＣ」の管理ＩＤが「１２３」であり、物品名「ＸＹＺ」の管理ＩＤが「６５３」であることを表している。また３回目が物品名「ＡＢＣ」の管理ＩＤが「１２３」であり、物品名「ＸＹＺ」の管理ＩＤが「５５５」であることを表している。この結果、１回目は物品名「ＡＢＣ」、「ＸＹＺ」ともに正しい管理ＩＤであるが、２回目以降物品名「ＡＢＣ」の管理ＩＤは正しいが、２回目に物品名「ＸＹＺ」の管理ＩＤが「６５３」となり異なっている。また３回目の物品名「ＸＹＺ」の管理ＩＤが「５５５」となり異なっているので、この時点で警告を発することを表している。図４（ｃ）はリーダライタ１００により読取った管理情報の他の一例であり、管理ＩＤを連続して読取った場合に、１回目が物品名「ＡＢＣ」の管理ＩＤが「１２３」であり、物品名「ＸＹＺ」の管理ＩＤが「６５２」であることを表している。また２回目が物品名「ＡＢＣ」の管理ＩＤが「１２３」であり、物品名「ＸＹＺ」の管理ＩＤが交信不能であることを表している。また３回目が物品名「ＡＢＣ」の管理ＩＤが「１２３」であり、物品名「ＸＹＺ」の管理ＩＤが交信不能であることを表している。この結果、１回目は物品名「ＡＢＣ」、「ＸＹＺ」ともに正しい管理ＩＤであるが、２回目以降物品名「ＡＢＣ」の管理ＩＤは正しいが、物品名「ＸＹＺ」の管理ＩＤが交信不能となっているので、この時点で警告を発することを表している。
【００１３】
図５は本発明の実施形態に係る物品管理システムの動作フローチャートである。図３を参照して説明する。まず管理者ＰＣ４４により管理対象物品（この例では物品３５、３８）を設定するため、図４（ａ）のように予めＰＣ５０のメモリに登録管理情報を記録しておく（Ｓ１）。登録管理情報としては、例えば、物品名６０と管理ＩＤ６１を記録しておく。そして物品３５、３８を管理マット３７上に載置して（Ｓ２）、リーダライタ１００を起動することによりシステムの準備が完了する（Ｓ３）。この状態で、リーダライタ１００は管理マット３７に備えられたアンテナを介して物品３５、３８に付されたＲＦＩＤタグ２００に記録されている管理情報を読取ることができる。管理情報としては、例えば、物品の管理ＩＤ６２がある。そして、ＰＣ５０はメモリに記録した登録管理情報とＲＦＩＤタグ２００から読取られた管理情報を常に監視して比較する（Ｓ４）。この状態において、登録管理情報とＲＦＩＤタグ２００から読取られた管理情報が全て一致すると（Ｓ４でＹＥＳのルート）、ドア制御装置４２を制御して施開錠手段４１を開錠し（Ｓ９）、警告音を停止指示する（Ｓ１０）。そしてステップＳ４に戻って繰り返す。ステップＳ４で利用者が例えば物品３５を管理マット３７上から持ち出し、所定の距離以上に離れるとリーダライタ１００と物品３５に付されたＲＦＩＤタグ２００との交信が不能となり、その結果、ＰＣ５０に記録されている物品３５の登録管理情報とＲＦＩＤタグ２００に記録されている管理情報とが不一致となる（Ｓ４でＮＯのルート）。そしてこの状態が所定の時間継続すると（Ｓ５）、ＰＣ５０は物品３５が管理マット３７から持ち出されたと判断して、読み取り不可の管理対象物品名を管理者ＰＣ４４に送信して（Ｓ６）、ブザー３３を鳴らし（Ｓ７）、ドア制御装置４２を制御して施開錠手段４１を施錠するように指示する（Ｓ８）。これによりドア４３がロックされて物品３５を室外に持ち出すことを阻止することができる。ここで、利用者が警告音に気づいて物品３５を管理マット３７に戻すとリーダライタ１００は物品３５に付されたＲＦＩＤタグの管理情報を再び読取るので、それによりＰＣ５０が物品３５が戻されたことを判断して（Ｓ４でＹＥＳのルート）、施開錠手段４１を開錠し（Ｓ９）ブザー３３を停止する（Ｓ１０）。
【図面の簡単な説明】
【００１４】
【図１】本発明の一実施形態のＲＦＩＤタグ用リーダライタの構成を示すブロック図である。
【図２】本発明の実施形態のＲＦＩＤタグの構成を示すブロック図である。
【図３】本発明の実施形態に係る物品管理システムの概略構成図である。
【図４】管理者ＰＣ５０に記録した登録管理情報とＲＦＩＤタグから読取った管理情報とを比較する動作を説明する図である。
【図５】本発明の実施形態に係る物品管理システムの動作フローチャートである。
【符号の説明】
【００１５】
３０  ＬＡＮ、３３  ブザー、３５、３８  物品、３７  管理マット、４１  施開錠手段、４２  ドア制御装置、４３  ドア、４４  管理者ＰＣ、５０  ＰＣ（制御手段）、１００  リーダライタ、３００  物品管理システム、２００  ＲＦＩＤタグ
【図１】
2005332185.tif 000003
【図２】
2005332185.tif 000004
【図３】
2005332185.tif 000005
【図４】
2005332185.tif 000006
【図５】
2005332185.tif 000007